(57)【要約】【課題】ＡＦ補正中に、補正による合焦状態をより簡単に確認できるようにする。【解決手段】自動合焦（ＡＦ）処理の補正処理において、設定された補正値（±０）に対応する合焦位置および設定された補正値の前後（−１、＋１）の合焦位置で画像を撮影し、一時的にメモリに保存する。撮影された（−１、±０、＋１）の画像を各々等倍率で拡大し、同一画面上に並べて表示する。補正値の設定が変更された場合には、画像が未取得の合焦位置における画像の撮影のみを行い、同画像を一時的にメモリに保存する。【選択図】図６
2016142756.tif 000002
【特許請求の範囲】
【請求項１】
自動合焦手段と、
前記自動合焦手段における合焦位置を補正する合焦位置補正手段と、
前記合焦位置補正手段において、補正された合焦位置における画像を取得し、その画像を表示する合焦確認画像表示手段とを備え、
前記合焦位置補正手段は、補正された合焦位置を複数設定し、前記合焦確認画像表示手段は、前記複数の補正された合焦位置における画像を各々取得し、複数の画像を同時に表示し、または連続して切り替え表示する
ことを特徴とする撮像装置。
【請求項２】
合焦位置の補正を変更する補正値変更手段を備え、変更の際、変更された合焦位置における画像が未取得だった場合、その変更された合焦位置における画像を取得して、前記合焦確認画像表示手段による表示を更新することを特徴とする請求項１に記載の撮像装置。
【請求項３】
合焦位置の補正を変更する際、取得済みの画像は再取得しないことを特徴とする請求項２に記載の撮像装置。
【請求項４】
自動合焦を行う自動合焦ステップと、
前記自動合焦手段における合焦位置を補正する補正ステップと、
前記補正ステップにおいて、補正された合焦位置における画像を取得し、その画像を表示する画像表示ステップとを備え、
前記補正ステップでは、補正された合焦位置が複数設定され、前記画像表示ステップでは、前記複数の補正された合焦位置における画像が各々取得され、複数の画像が同時に表示され、または連続して切り替え表示される
ことを特徴とする撮像方法。
【発明の詳細な説明】
【技術分野】
【０００１】
本発明は、補正を行う適切なタイミングで画像を撮影し、画像から視覚的に調整内容を確認できる撮像装置に関する。
【背景技術】
【０００２】
位相差ＡＦで得られる合焦位置を調整するための補正値を設定可能とし、補正値、及び補正値により調整された合焦位置で画像を撮影し、これを再生可能としたデジタルカメラが知られている（特許文献１）。
【先行技術文献】
【特許文献】
【０００３】
【特許文献１】特開２０１２−２３３９３０号公報
【発明の概要】
【発明が解決しようとする課題】
【０００４】
しかし、特許文献１の構成では、ピント補正が完了した画像を確認することはできるが、補正中の画像、特に現在の補正値から前後にピント位置をずらした際に得られる画像を比較して確認する手段がなく、補正値がジャストピントなのか確認することができない。
【０００５】
本発明は、ＡＦ補正中に、補正による合焦状態をより簡単に確認できるようにすることを課題としている。
【課題を解決するための手段】
【０００６】
本発明の撮像装置は、自動合焦手段と、自動合焦手段における合焦位置を補正する合焦位置補正手段と、合焦位置補正手段において、補正された合焦位置における画像を取得し、その画像を表示する合焦確認画像表示手段とを備え、合焦位置補正手段は、補正された合焦位置を複数設定し、合焦確認画像表示手段は、複数の補正された合焦位置における画像をそれぞれ取得し、複数の画像を同時に表示し、または連続して切り替え表示することを特徴としている。
【０００７】
撮像装置は更に合焦位置の補正を変更する補正値変更手段を備えることが好ましく、変更の際、変更された合焦位置における画像が未取得だった場合、その変更された合焦位置における画像を取得して、合焦確認画像表示手段による表示を更新する。また合焦位置の補正を変更する際に、取得済みの画像は再取得しないことが好ましい。
【０００８】
本発明の撮像方法は、自動合焦を行う自動合焦ステップと、自動合焦手段における合焦位置を補正する補正ステップと、補正ステップにおいて補正された合焦位置における画像を取得し、その画像を表示する画像表示ステップとを備え、補正ステップでは、補正された合焦位置が複数設定され、画像表示ステップでは、複数の補正された合焦位置における画像が各々取得され、複数の画像が同時に表示され、または連続して切り替え表示されることを特徴としている。
【発明の効果】
【０００９】
本発明によれば、ＡＦ補正中に、補正による合焦状態をより簡単に確認できるようにすることができる。
【図面の簡単な説明】
【００１０】
【図１】本発明の一実施形態であるデジタルカメラの背面図である。
【図２】メニュー（ＭＥＮＵ）画面の一例である。
【図３】本実施形態のピント補正画面の一例である。
【図４】ピント補正画面を用いたＡＦ補正機能の補正値設定動作および補正画像のピント確認動作全体の流れを示すフローチャートである。
【図５】図４のピント確認処理（Ｓ１１０）のフローチャートである。
【図６】設定補正値が±０のときのピント補正画面を例示する図である。
【図７】設定補正値がプラス側最大値（＋１０）のときのピント補正画面を例示する図である。
【図８】設定補正値がマイナス側最大値（−１０）のときのピント補正画面を例示する図である。
【図９】第１変形例のピント確認動作の流れを示すフローチャートである。
【図１０】第２変形例のピント確認動作の流れを示すフローチャートである。
【図１１】第２変形例において、設定補正値が±０のときのピント補正画面を例示する図である。
【図１２】第２変形例において、設定補正値が−１に変更されたときのピント補正画面を例示する図である。
【発明を実施するための形態】
【００１１】
以下、本発明の実施の形態を、図面を参照して説明する。図１は、本発明の一実施形態である撮像装置の背面図である。
【００１２】
本実施形態の撮像装置は、コントラストＡＦ方式や位相差ＡＦ方式などの所定の方式を用いた自動合焦機能を備えたデジタルカメラである。図１に示されるようにデジタルカメラ１０の背面には、液晶画面（画像表示部）１１が設けられ、その上方にはファインダ１２、右側には、各種操作スイッチが配置される。操作スイッチとしては、例えば確認ボタン１３、４方向キー１４、ＯＫボタン１５、メニューボタン１６等が設けられる。
【００１３】
デジタルカメラ１０の背面に設けられたメニューボタン１６が操作されると、例えば図２に示されるメニュー（ＭＥＮＵ）画面２０が液晶画面１１に表示される。４方向キー１４等を操作して、メニュー（ＭＥＮＵ）画面２０において、「ＡＦ微調整」の項目２１にカーソルを合せ、ＯＫボタン１５を押下すると、図３に示されるＡＦ補正画面２２が表示される。本実施形態のデジタルカメラ１０は、ＡＦ補正機能（ＡＦ微調整機能）を備え、ＡＦ補正機能が作動されると、自動合焦機能において最適と判断される合焦位置から設定された補正値（レンズ駆動ステップ）分、合焦位置を移動し、同位置およびその前後に所定量（例えば±１ステップ）合焦位置をずらして補正画像を１枚ずつ（合計３枚）撮影する。
【００１４】
ＡＦ補正画面２２は、ＡＦ補正機能における補正値を設定、変更するとともに、設定された補正値を表示するための画面である。ＡＦ補正機能における設定値は、例えばユーザが４方向キー１４を操作して、図３の目盛２２Ｍ上のカーソル２２Ｃの位置を左右に移動して変更され、ユーザがＯＫボタン１５を操作することで移動されたカーソル２２Ｃの位置に対応する補正値が設定、記憶される。なお、目盛２２Ｍの１目盛は、フォーカスレンズを駆動する際の１ステップに対応する。
【００１５】
図４は、上述したピント補正画面を用いたＡＦ補正値設定動作および補正画像のピント確認動作全体の流れを示すフローチャートである。
【００１６】
メニューボタン１６が操作されると、ステップＳ１００において、図２のメニュー（ＭＥＮＵ）画面２０が表示され、ステップＳ１０２において、メニュー画面２０からＡＦ微調整の選択が行われる。メニュー画面２０において「ＡＦ微調整」２１が選択されると、図３のＡＦ補正画面２２が表示され、ステップＳ１０４において４方向キー１４の入力の有無が判定される。４方向キー１４の操作が検出されると、ステップＳ１０６において、４方向キー１４の操作内容に応じて、ＡＦ微調整用の補正値の変更を行い、ＡＦ補正画面２２のカーソル２２Ｃを４方向キー１４の操作に合わせて移動する。なお、ステップＳ１０４において４方向キー１４の操作がなされていないと判定される場合には、処理はステップＳ１１２へと移動する。
【００１７】
ステップＳ１０８では、確認ボタン１３の操作が行われたか否かが判定される。確認ボタン１３が操作されると、ステップＳ１１０において後述するピント確認処理が実施され、確認ボタン１３が操作されていないと判定される場合には、ステップＳ１１０のピント確認処理を行うことなくステップＳ１１２の処理が実行される。ステップＳ１１２では、ＯＫボタン１５が操作されたか否かが判定され、ＯＫボタン１５が操作された場合には、本処理を終了する。一方、ＯＫボタン１５が操作されていない場合には、ステップＳ１０４へ処理は戻り、ステップＳ１０４以下の処理を繰り返す。
【００１８】
次に図５〜図７を参照して、図４のピント確認処理（Ｓ１１０）の詳細について説明する。なお、図５は、ピント確認処理（Ｓ１１０）のフローチャートである。
【００１９】
図４のステップＳ１０８において確認ボタン１３の操作が検出されると、本処理のステップＳ２００が実行され、ＡＦ処理（例えば位相差ＡＦ）が行われるとともに、同合焦位置から図４のＳ１０６で設定された補正設定値分、合焦位置を補正する。そしてステップＳ２０２において、レリーズ処理が実行され、補正設定値の位置の画像が取得される。
【００２０】
ステップＳ２０４では、補正値が、−側の最大値であるか否かが判定される。例えば図３のＡＦ補正画面２２では、補正値を±１０ステップの範囲で設定可能である。したがって、ステップＳ２０４では、補正値が−１０であるか否かが判定される。−側最大値でない場合には、ステップＳ２０６において、補正設定値よりも１ステップマイナス側の位置（補正設定値−１）でＡＦ処理を行い、ステップＳ２０８のレリーズ処理により、同位置の画像が取得される。なお、ステップＳ２０４において補正値が−側の最大値であると判定された場合、補正設定値よりも−側への合焦はできないので、ステップＳ２０６、Ｓ２０８の処理をスキップして直ちにステップＳ２１０が実行される。
【００２１】
ステップＳ２１０では、補正値が、＋側の最大値であるか否かが判定される。すなわち本実施形態のステップＳ２１０では、補正値が最大値である＋１０であるか否かが判定され、＋側最大値でない場合には、ステップＳ２１２において、補正設定値よりも１ステッププラス側の位置（補正設定値＋１）でＡＦ処理を行い、ステップＳ２１４のレリーズ処理により、同位置の画像が取得される。なお、ステップＳ２１０において補正値が＋側の最大値であると判定された場合、補正設定値よりも＋側への合焦はできないので、ステップＳ２１２、Ｓ２１４の処理をスキップして直ちにステップＳ２１６が実行される。
【００２２】
ステップＳ２１６では、ステップＳ２０２、Ｓ２０８、Ｓ２１４等で取得された画像を、それぞれ所定倍率で等倍拡大し、それぞれの一部拡大画像を、図６のようにＡＦ補正画面２２の目盛２２Ｍに沿って並べて表示し、各画像に隣接してそれぞれの補正値を表示する。なお、部分拡大画像は、例えば図１のＡＦ枠１７の中心に拡大、切り取りを行った画像である。また図６には、設定補正値が±０で、同位置、およびその前後−１ステップ、＋１ステップに合焦した撮影が行われ、それぞれの拡大画像が表示された状態が例示される。
【００２３】
図７、図８は、設定補正値がそれぞれ＋側の最大値、−側の最大値の場合におけるＡＦ補正画面２２の表示例を示す図である。図７では、設定補正値が＋側最大値の＋１０であるため、ステップＳ２０２とステップＳ２０８でのみ画像が取得され、＋１０と＋９の拡大画像が表示されている。一方、図８では、設定補正値が−側最大値の−１０であるため、ステップＳ２０２とステップＳ２１４でのみ画像が取得され、−１０と−９の拡大画像が表示されている。すなわち、図７、図８では、補正設定値とともに設定値の画像を中心に補正画像が比較表示される。
【００２４】
同様表示により、ユーザはＡＦ補正画面２２に表示された各画像を比較して、ジャストピントの画像を選択することができる。なお、ジャストピントの画像選択は、例えば図６〜図８のＡＦ補正画面２２において、４方向キー１４を操作して、所望の画像を選択することにで行われてもよいし、設定補正値を再度設定し直し、再度設定された補正値で撮影された画像をジャストピント画像として記録することも可能である。なお、ピント確認用の撮影（Ｓ２０２、Ｓ２０８、Ｓ２１４）が実行されるまでは、画像データが存在しないため、ＡＦ補正画面２２においてプレビュー画像の表示は行われない。また、本実施形態では、−１、設定補正値、＋１の位置の順番で確認画像の撮影を行ったが、この撮影の順番は任意である。
【００２５】
以上のように、本実施形態によれば合焦位置の補正を行う際に、設定された補正値における画像と、同補正値からピント位置を前後にずらした画像を比較表示することで、補正位置を中心とする複数のＡＦ画像のピント状態を同時に確認することができ、ジャストピントの位置をより簡単かつ正確に把握することができる。
【００２６】
次に図９を参照して、図５のピント確認処理（Ｓ１１０）の第１変形例について説明する。図５は、第１変形例のピント確認処理のフローチャートである。
【００２７】
ステップＳ３００〜ステップＳ３１６は、図５のステップＳ２００〜ステップＳ２１６にそれぞれ対応し、変形例においても、ここまでの処理は図５の実施形態と同様である。変形例では、ステップＳ２１６と同様にステップＳ３１６において、各画像の等倍表示を行った後、同処理において設定補正値を＋１あるいは−１変更可能にしたものである。以下ステップＳ３１６の次のステップＳ３１８からの説明を行なう。
【００２８】
ステップＳ３１８では、例えば図６〜図８などのＡＦ補正画面２２において、例えば４方向キー１４を用いて、図４のステップＳ１０６のときと同様の方法で、設定補正値の変更処理が行われる。ステップＳ３２０では、変更された設定補正値が、＋側あるいは−側の最大値であるか否かが判定され、最大値でない場合には、ステップＳ３２２において、変更後の設定補正値の下において、未取得の確認画像があるか否かが判定される。未取得の画像がある場合、ステップＳ３２４において未取得の画像の合焦位置でＡＦ処理（位相差ＡＦ）が実行され、ステップＳ３２６のレリーズ処理において、同合焦位置での画像が取得される。そしてステップＳ３２８で、新たに設定された設定補正値に対応する画像を用いてＡＦ補正画面２２に表示されている確認画像が更新され、ステップＳ３３０において確認ボタン１３が操作されたか否かが判定される。
【００２９】
例えば、ステップＳ３１６が終了した時点で、図６の状態のときに設定補正値が＋１ステップ分変更されると、±０、＋１、＋２ステップにおける拡大画像をＡＦ補正画面２２に表示することになる。このとき±０、＋１ステップの画像は既に取得されており、＋２の画像のみがステップＳ３２６で取得される。そして、ステップＳ３２８では、−１の画像の表示に替え、±０、＋１の画像と、新たに取得された＋２の拡大画像が表示される。なお、このとき±０、＋１の画像の表示位置は、同操作に合わせて左側にシフトされる。
【００３０】
なお、ステップＳ３２０で補正値が＋側あるいは−側の最大値であると判定された場合、あるいはステップＳ３２２において未取得の画像はないと判定された場合には、新たに取得できる画像はないので、処理は直ちにステップＳ３３０にジャンプする。
【００３１】
ステップＳ３３０において、確認ボタン１３が操作されたと判定されると、ステップＳ３３２において、ＡＦ補正画面２２に表示された画像（プレビュー画像）が破棄され、ステップＳ３００からの処理が再度実行される。一方、ステップＳ３３０において確認ボタン１３が操作されていないと判定された場合には、ステップＳ３１８〜Ｓ３３０の処理がＯＫボタン１５が操作されるまで繰り返される。
【００３２】
以上のように、第１変形例においても実施形態と同様の効果が得られるとともに、変形例では、補正値の設定を変更する度に確認ボタン１３を操作する必要がない。また一度取得された画像は、確認ボタン１３が操作されるまで、あるいは微調整を画定するまで、一次記憶ＲＡＭなどに保持される。
【００３３】
次に、図１０〜図１２を参照して、ピント確認処理の第２変形例について説明する。図１０は、第２変形例のピント確認処理のフローチャートである。
【００３４】
ステップＳ４００、Ｓ４０２では、図５のステップＳ２００、Ｓ２０２と同様に、設定された補正値におけるＡＦ（位相差ＡＦ）処理、レリーズ処理が行われ、設定補正値における確認画像が取得される。次にステップＳ４０４では、ステップＳ４０２で取得された確認画像が、ＡＦ補正画面２２上に所定倍率で単独で拡大表示（等倍表示）される。なお、図１１にステップＳ４０４におけるＡＦ補正画面２２を例示する。
【００３５】
次に、ステップＳ４０６において、図９のステップＳ３１８と同様に補正値の設定の変更が行われる。ステップＳ４０８では、変更された設定補正値が、＋側あるいは−側の最大値であるか否かが判定され、最大値でない場合には、ステップＳ４１０において、変更後の設定補正値の下において、未取得の確認画像があるか否かが判定される。未取得の画像がある場合、ステップＳ４１２において未取得の画像の合焦位置でＡＦ処理（位相差ＡＦ）が実行され、ステップＳ４１４のレリーズ処理において、同合焦位置での画像が取得される。そしてステップＳ４１６において、新たに設定された設定補正値に対応する画像を用いてＡＦ補正画面２２に表示されている確認画像が更新され、ステップＳ４１８において確認ボタン１３が操作されたか否かが判定される。
【００３６】
例えば、ステップＳ４０４が終了した時点で、図１１の状態のときに設定補正値がステップＳ４０６で−１ステップ分変更されると、ステップＳ４１６において−１ステップで撮影され画像の拡大画像が、図１２に示されるように、図１１における±０における拡大画像に替えてＡＦ補正画面２２に表示される。
【００３７】
なお、ステップＳ４０８で補正値が＋側あるいは−側の最大値であると判定された場合、あるいはステップＳ４１０において未取得の画像はないと判定された場合には、新たに取得できる画像はないので、処理は直ちにステップＳ４１８にジャンプする。
【００３８】
ステップＳ４１８において、確認ボタン１３が操作されたと判定されると、ステップＳ４２０において、記録されている全てのプレビュー画像が破棄され、ステップＳ４００からの処理が再度実行される。一方、ステップＳ４１８において確認ボタン１３が操作されていないと判定された場合には、ステップＳ４０６〜Ｓ４１８の処理がＯＫボタン１５が操作されるまで繰り返される。
【００３９】
以上のように、第２変形例においても、実施形態と略同様の効果が得られる。第２変形例では、複数の拡大画像が同時に表示されないものの、拡大率のより大きな画像を連続的に切り替えて表示することができる。
【００４０】
なお本実施形態では、設定補正値に対して＋１あるいは−１ステップの合焦位置において画像を取得し、拡大表示した。しかし、同ステップの単位は１ステップよりも大きくてもよいし、補正画像を取得する合焦位置も３つ以上であってもよい。また、画像表示部は、カメラ本体と一体的に構成されなくともよい。
【符号の説明】
【００４１】
１０  デジタルカメラ
１１  液晶画面（画像表示部）
１３  確認ボタン
１４  ４方向キー
１５  ＯＫボタン
１６  メニューボタン
１７  ＡＦ枠
【図１】
2016142756.tif 000003
【図２】
2016142756.tif 000004
【図３】
2016142756.tif 000005
【図４】
2016142756.tif 000006
【図５】
2016142756.tif 000007
【図６】
2016142756.tif 000008
【図７】
2016142756.tif 000009
【図８】
2016142756.tif 000010
【図９】
2016142756.tif 000011
【図１０】
2016142756.tif 000012
【図１１】
2016142756.tif 000013
【図１２】
2016142756.tif 000014